(57)【要約】      （修正有）【課題】対象物を挟み圧着して対象物に固定する簡単な構造で対象物を挟む方向について利用上の制約のない用具を提供する。【解決手段】２個のネジのうちの１つは圧着板の間隔を対象物に合わせ固定するための間隔固定用ネジ４でありもう１つは圧着板の間隔を調整して対象物に圧着力を加えるための圧着用ネジ３である。２個の圧着板１，２を向かい合わせ圧着板の長辺の１方の端部側で対象物を挟み反対側端部側を間隔固定用ネジで対象物の厚みに固定したまま圧着用ネジを締めて対象物を圧着し対象物に固定する。ツマミ材１０は間隔固定用ネジを回すときのつまみとして利用すると同時に必要に応じて物かけ用のフック等として利用する。必要に応じて２個の圧着板をフックとして利用し、圧着板に木材等の材料を使用して圧着板にネジクギを打ち込んで別のフックを取り付けることもできるので対象物を挟む方向について利用上の制約がない。【選択図】図５
0003174712.tif 000002
【実用新案登録請求の範囲】
【請求項１】
対象物を挟み圧着して対象物に固定する用具で、対象物を挟み圧着するための板である２個の圧着板が間隔をあけて向かい合い、対象物の大きさに合わせて圧着板の間隔を固定するためのネジである間隔固定用ネジと圧着板の間隔を狭めて圧着するためのネジである圧着用ネジが圧着板の長辺方向に適当な間隔をあけてついており２個のネジで圧着板は連結され、２個の圧着板の１方には圧着用ネジを通すための貫通穴である圧着用ネジ貫通穴と間隔固定用ネジを通すための貫通穴でその内側にオニメナットやツメつきナット等のメネジのついた間隔固定用ネジ貫通穴メネジ付きがついており、もう１方の圧着板には圧着用ネジ貫通穴と間隔固定用ネジを通すための貫通穴でその内側にメネジのついていない間隔固定用ネジ貫通穴メネジなしがついており、メネジの付いた貫通穴の径は間隔固定用ネジの径と同一でありメネジのついていない貫通穴の径はネジ軸を円滑に通すに必要な最小の径であり、間隔固定用ネジの片方の端部側は間隔固定用ネジ貫通穴メネジ付きのメネジにかみ合い貫通穴を通過して圧着板の外側に進出し反対側は間隔固定用ネジ貫通穴メネジなしをネジ軸が通りネジの頭部またはナット類よりなる２個の突起物がネジ軸に固定され２個の突起物は間隔固定用ネジ貫通穴メネジなしの出入口を塞ぐように圧着板を挟み、圧着用ネジの片方の端部側はネジの頭部を圧着板の外側に残して圧着用ネジ貫通穴を通り反対側はもう１方の圧着板の圧着用ネジ貫通穴を通って圧着板の外側に進出してネジの末部から蝶ナット等のメネジにかみ合い、圧着板の長辺の端部から圧着用ネジが通る地点まで空隙である２個の圧着板の間に対象物を挟み、圧着用ネジをあいだにおいて対象物と反対側にある間隔固定用ネジで圧着板の間隔を対象物の大きさに合わせて固定し、圧着用ネジにかみ合う蝶ナット等を回して圧着板の間隔を狭め対象物を圧着し対象物に固定する用具。
【請求項２】
請求項１の用具で間隔固定用ネジ貫通穴メネジ付きから圧着板の外側に進出した間隔固定用ネジの端部に、その端部の挿入に適合する凹部を有するツマミ材をその凹部から固定しツマミ材を手回し用のツマミとして利用し同時に必要に応じてツマミ材を物かけ用のフック等に利用する用具。
【考案の詳細な説明】
【技術分野】
【０００１】本考案は対象物を挟み圧着して対象物に固定する用具に関する。
【背景技術】
【０００２】本考案は対象物を挟み圧着して対象物に固定する用具に関する。従来ネジの働きにより対象物を挟み圧着して対象物に固定する用具としてはカモイフック等がある。カモイフックは主軸にカモイを挟むツメとなる２個の部材が装着されていて対象物であるカモイを２個の部材の間に挟みネジを回して１方の部材をもう１方の部材の方向に押し出すことによりカモイを圧着しカモイに固定し、カモイフックに付属したフックを利用する。またカモイフックはカモイや窓の横枠等を上下方向からはさむ場合のみ利用できるが縦枠を左右方向から挟む場合や上下に向いた突起物を前後方向から挟む場合には利用できない。このようにカモイフックには挟む方向について利用上の制約がある。
【考案が解決しようとする課題】
【０００３】本考案の課題は、対象物を挟み圧着して対象物に固定する簡単な構造で対象物を挟む方向について利用上の制約のない用具を提供するところにある。
【考案が解決するための手段】
【０００４】ネジの働きによって対象物を挟み圧着して対象物に固定する従来の用具は主軸に２個の部材が連結している。対象物を２個の部材の間に挟み１方の部材を固定したままもう１方の部材を固定した部材に向かって押し出すことにより対象物を圧着して対象物に固定する。２個の部材は対象物を挟むツメであり２個のツメが主軸に乗った構造である。本考案では対象物を挟むツメであり同時に圧着力を生み出す板である２個の圧着板を２個のネジによって連結し２個のネジで直接圧着板の間隔を調整して対象物を圧着する。２個のネジのうちの１つは圧着板の間隔を対象物に合わせ固定するための間隔固定用ネジでありもう１つは圧着板の間隔を調整して対象物に圧着力を加えるための圧着用ネジである。２個のネジは圧着板の長辺方向に間隔を空けてついている。２個の圧着板を向かい合わせ圧着板の長辺の１方の端部側で対象物を挟み反対側端部側を間隔固定用ネジで対象物の厚みに固定してその間を圧着用ネジで締め付ける構造である。圧着用ネジで締め付けると間隔固定用ネジで固定された側の圧着板は動けないまま僅かに動くことができる対象物側の圧着板の間隔が狭まり対象物を圧着する。対象物を挟む端部側が圧着板のツメの部分であり圧着用ネジの付いた地点を含めて間隔固定用ネジが通る端部側が圧着板の圧着力発生部分である。２個の圧着板の１方には圧着用ネジを通すための貫通穴である圧着用ネジ貫通穴と間隔固定用ネジを通すための貫通穴でその内側にオニメナットやツメつきナット等のメネジのついた間隔固定用ネジ貫通穴メネジ付きがついている。もう１方の圧着板には圧着用ネジ貫通穴と間隔固定用ネジを通すための貫通穴でその内側にメネジのついていない間隔固定用ネジ貫通穴メネジなしがついている。メネジ付き貫通穴に付いたメネジの径は間隔固定用ネジにかみ合う大きさである。メネジの付いていない貫通穴の径はネジ軸を円滑に通すに必要にして最小な径であり目安としてはネジの径プラス１ミリ程度である。間隔固定用ネジの片方の端部側は間隔固定用ネジ貫通穴メネジ付きのメネジにかみ合い貫通穴を通過して圧着板の外側に進出する。間隔固定用ネジの反対側は間隔固定用ネジ貫通穴メネジなしをネジ軸が通りネジの頭部またはナット類よりなる２個の突起物がネジ軸に固定されている。２個の突起物は間隔固定用ネジ貫通穴メネジなしの出入口を塞ぐように圧着板を挟み圧着板がネジ軸上を移動することを封じている。間隔固定用ネジを回転させると突起物に挟まれた圧着板は動かないままメネジの付いた圧着板がネジ軸上を動いて２個の圧着板の間隔を調整する。間隔固定用ネジを回転しないと圧着板は動くことができないので回転を止めると２個の圧着板の間隔は固定する。圧着板を挟む２個の突起物のうち圧着板の外側の突起物はネジの頭を利用することができる。圧着板を挟んで内側の突起物は６角ナットや板ナット等を接着剤等でネジ軸に固定する。圧着用ネジの片方の端部側はネジの頭部を圧着板の外側に残して圧着用ネジ貫通穴を通る。圧着用ネジの反対側はもう１方の圧着板の圧着用ネジ貫通穴を通って圧着板の外側に出てネジの末部から蝶ナット等のメネジにかみ合う。蝶ナット等を回転すると蝶ナット等はネジ軸にそって進みまたは後退し、蝶ナット等の動きに連動して圧着板の間隔が変化する。使い方はまず対象物の大きさにほぼ等しくなるように圧着用ネジにかみ合う蝶ナット等と間隔固定用ネジの端部についたツマミ材を回して圧着板のツメの部分と圧着力発生部分の圧着板の間隔を調整する。そして圧着板のツメの部分で対象物を挟む。このとき圧着力発生部分側の圧着板の間隔を圧着板のツメの部分側の間隔と同じかほんの僅かツメの部分側の圧着板の間隔より広くなるように間隔固定用ネジで調整する。最後に圧着用ネジにかみ合う蝶ナット等を回して圧着板の間隔を狭めることにより対象物を圧着し対象物に固定する。なお間隔固定用ネジ貫通穴メネジ付きから圧着板の外側に進出した間隔固定用ネジの端部にはネジを手回しするためのツマミとなるツマミ材が固定されている。ツマミ材には間隔固定用ネジの端部を挿入できる凹部があり、ネジの端部をこの凹部に挿入し固定する。ツマミ材は間隔固定用ネジを回すときのツマミとして利用すると同時に必要に応じて物かけ用のフック等に利用する。本考案では対象物に固定したのち２個の圧着板自体をフックとして利用することができる。また圧着板にネジクギを打てる木材等の材料を使用した場合、圧着板にネジクギを打ち込み圧着板に別のフックを取り付けることもできる。従って本考案はカモイや窓の横枠などの対象物を上下方向から挟む場合に限らず窓の縦枠に対して左右方向から挟む場合や上下の突起物を前後方向から挟む場合にも利用できる。
【考案の効果】
【０００５】このように本考案は従来品に比べて簡単な構造であり対象物を挟む方向について利用上の制約がない。
【図面の簡単な説明】
【０００６】
【図１】実施例１の正面図である。
【図２】実施例１の右側面図である。
【図３】実施例１の平面図である。
【図４】実施例１の底面図である。
【図５】実施例２の正面図である。
【図６】実施例２の右側面図である。
【図７】実施例２の平面図である。
【図８】実施例２の底面図である。
【考案を実施するための形態】
【０００７】本考案の目的は、対象物を挟み圧着して対象物に固定する簡単な構造で対象物を挟む方向について利用上の制約のない用具を提供するところにある。この目的を実現するため本考案では２個の圧着板が間隔をあけて向かい合い、圧着板の間隔を対象物に合わせて固定する間隔固定用ネジと圧着板の間隔を狭めて圧着する圧着用ネジの２個のネジによって圧着板を連結する簡単な構造とした。圧着力発生部分の圧着板の間隔を固定したまま圧着用ネジにかみ合う蝶ネジ等を締める方向に回転させると僅かに動くことができるツメの部分の圧着板の間隔が狭まり対象物を圧着する。
【実施例１】
【０００８】本考案の実施例について図面を参照しながら説明する。
実施例１は間隔固定用ネジの端部についたツマミ材と圧着用ネジにかみ合う蝶ナット等が同じ圧着板の外側に位置する場合の本考案の実施例である。図１は正面図、図２は右側面図、図３は平面図、図４は底面図である。正面図において圧着用ネジの左側が圧着板のツメの部分である。圧着用ネジを含みその右側が圧着板の圧着力発生部分である。対象物を左側ツメの部分で挟めるように圧着用ネジにかみ合う蝶ナット等と間隔固定用ネジに固定されたツマミ材を回して圧着板の間隔を調整して対象物の大きさに合わせる。対象物をツメの部分に挟む。そして蝶ナット等を回して圧着用ネジの頭と蝶ナット等の間隔を狭め２個の圧着板の間隔を連動して狭めて対象物を圧着し対象物に固定する。ツマミ材は必要に応じてフック等として利用する。
【実施例２】
【０００９】実施例２は間隔固定用ネジの端部についたツマミ材と圧着用ネジにかみ合う蝶ナット等が互いに反対の圧着板の外側に位置する場合の本考案の実施例である。図１は正面図、図２は右側面図、図３は平面図、図４は底面図である。蝶ナット等の位置が正面図圧着板Ａの上側から圧着板Ｂの下側に変わるだけでそれ以外の使用方法は実施例１と同じである。
【産業上の利用可能性】
【００１０】対象物を挟んで圧着し対象物に固定するより簡単な構造で対象物を挟む方向について利用上の制約のない用具を必要とする用途に利用できる。
【符号の説明】
【００１０】１            圧着板Ａ
２            圧着板Ｂ
３            圧着用ネジ
４            間隔固定用ネジ
５            蝶ナット
６            ツメの部分
７            圧着力発生部分
８            ナット等の突起物
９            ネジの頭の突起物
１０          ツマミ材
【図１】
0003174712.tif 000003
【図２】
0003174712.tif 000004
【図３】
0003174712.tif 000005
【図４】
0003174712.tif 000006
【図５】
0003174712.tif 000007
【図６】
0003174712.tif 000008
【図７】
0003174712.tif 000009
【図８】
0003174712.tif 000010